(57)【要約】      （修正有）【課題】より耐久性の高い散気装置を提供する。【解決手段】角型弾性多孔体２、前記角型弾性多孔体を下方から支持しかつ加圧空気用のオリフィスを有する支持体３、及び、弾性多孔体を支持体に一体に固定する固定部材２３、２４からなる散気装置４０であり、前記支持体３が、前記角型弾性多孔体２を下方から支持する支持部と、支持部に接続された加圧空気送付用のパイプへの取り付け部からなり、前記角型弾性多孔体２が、開口部を有する箱型形状を有し、前記支持部が前記弾性多孔体２内に配置されており、前記固定部材２３、２４が、前記角型弾性多孔体２の両面側の少なくとも四隅とその近傍の辺を固定するものであり、前記四隅部分の幅が前記辺の幅よりも大きくなるように設定されている散気装置４０とする。【選択図】図５
2009262032.tif 000002
【特許請求の範囲】
【請求項１】
角型弾性多孔体、前記角型弾性多孔体を下方から支持しかつ加圧空気用のオリフィスを有する支持体、及び、弾性多孔体を支持体に一体に固定する固定部材からなる散気装置であり、
前記支持体が、前記角型弾性多孔体を下方から支持する支持部と、支持部に接続された加圧空気送付用のパイプへの取り付け部からなり、
前記角型弾性多孔体が、開口部を有する箱型形状を有し、前記支持部が前記弾性多孔体内に配置されており、
前記固定部材が、前記角型弾性多孔体の両面側の少なくとも四隅とその近傍の辺を厚さ方向に固定するものであり、前記四隅部分の幅が前記辺の幅よりも大きくなるように設定されている、散気装置。
【請求項２】
角型弾性多孔体、前記角型弾性多孔体を下方から支持しかつ加圧空気用のオリフィスを有する支持体、及び、弾性多孔体を支持体に一体に固定する固定部材からなる散気装置であり、
前記支持体が、前記角型弾性多孔体を下方から支持する支持部と、支持部に接続された加圧空気送付用のパイプへの取り付け部からなり、
前記角型弾性多孔体が、開口部を有する箱型形状を有し、前記支持部が前記弾性多孔体内に配置されており、
前記固定部材が、前記角型弾性多孔体の両面側の少なくとも四隅とその近傍の辺を厚さ方向に固定するものであり、前記両面側の四隅を固定する部分に対角線方向に突き出された突出部が設けられている、散気装置。
【請求項３】
角型弾性多孔体、前記角型弾性多孔体を下方から支持しかつ加圧空気用のオリフィスを有する支持体、及び、弾性多孔体を支持体に一体に固定する固定部材からなる散気装置であり、
前記支持体が、前記角型弾性多孔体を下方から支持する支持部と、支持部に接続された加圧空気送付用のパイプへの取り付け部からなり、
前記角型弾性多孔体が、開口部を有する箱型形状を有し、前記支持部が前記弾性多孔体内に配置されており、
前記固定部材が、前記角型弾性多孔体の両面側の少なくとも四隅とその近傍の辺を厚さ方向に固定するものであり、前記四隅部分の幅が前記辺の幅よりも大きくなるように設定されており、かつ前記両面側の四隅を固定する部分に対角線方向に突き出された突出部が設けられている、散気装置。
【請求項４】
請求項１〜３のいずれか１項に記載の散気装置が、加圧空気送付用のパイプに２つ以上取り付けられ、かつ各散気装置が互いに隙間なく接して並べられている散気システム。
【発明の詳細な説明】
【技術分野】
【０００１】
本発明は、下水処理を中心とした有機性排水処理システムに使用するエアレーションタンクに設置される散気装置及びそれを利用した散気システムに関する。
【背景技術】
【０００２】
現在、多くの下水処理場の、エアレーションタンク中に設置される散気装置には、散気板が設置されている。
【０００３】
従来は、磁器製の散気板が使用されていたが、その後軽くて作業性がよく、気泡の大きさを容易に変えられ、製造が容易で価格の安いプラスチックの散気板も作られるようになった。これらは、磁器製の散気板とのリプレースを考慮して、磁器製の散気板と同一寸法のものが使用されており、プラスチック散気板は、磁器製散気板用の散気板ホルダーをそのまま用いて容易に交換できる。
【０００４】
さらに、この高分子多孔体で出来た散気板や散気筒に代わって、超微細気泡型のメンブレンディフューザーが、その高性能によって使用されるようになってきた。
【０００５】
しかしながら、これまでに提案されているメンブレンディフーザーでは、ディスク型やチューブ型であるため、設置面積当たりの有効発泡面積を大きくすることが出来なかった。また、特許文献１には長方形状のメンブレンディフーザーが開示されているが、パイプへの取り付け構造が複雑である。
【特許文献１】特開２００３−０２４９７４号公報
【特許文献２】特開２００３−００１２９０号公報
【特許文献３】特開２００７−３８１９８号公報
【発明の開示】
【発明が解決しようとする課題】
【０００６】
本願出願人は、先に特許文献１、２の課題を解決できる発明として、特許文献３の発明を出願している。
【０００７】
本願発明は、特許文献３の発明に改良を加え、耐久性がより高められた散気装置とそれを用いた散気システムを提供することを課題とする。
【課題を解決するための手段】
【０００８】
本発明は、課題の解決手段として、下記の各発明を提供する。
１．角型弾性多孔体、前記角型弾性多孔体を下方から支持しかつ加圧空気用のオリフィスを有する支持体、及び、弾性多孔体を支持体に一体に固定する固定部材からなる散気装置であり、
前記支持体が、前記角型弾性多孔体を下方から支持する支持部と、支持部に接続された加圧空気送付用のパイプへの取り付け部からなり、
前記角型弾性多孔体が、開口部を有する箱型形状を有し、前記支持部が前記弾性多孔体内に配置されており、
前記固定部材が、前記角型弾性多孔体の両面側の少なくとも四隅とその近傍の辺を厚さ方向に固定するものであり、前記四隅部分の幅が前記辺の幅よりも大きくなるように設定されている、散気装置。
２．角型弾性多孔体、前記角型弾性多孔体を下方から支持しかつ加圧空気用のオリフィスを有する支持体、及び、弾性多孔体を支持体に一体に固定する固定部材からなる散気装置であり、
前記支持体が、前記角型弾性多孔体を下方から支持する支持部と、支持部に接続された加圧空気送付用のパイプへの取り付け部からなり、
前記角型弾性多孔体が、開口部を有する箱型形状を有し、前記支持部が前記弾性多孔体内に配置されており、
前記固定部材が、前記角型弾性多孔体の両面側の少なくとも四隅とその近傍の辺を厚さ方向に固定するものであり、前記両面側の四隅を固定する部分に対角線方向に突き出された突出部が設けられている、散気装置。
３．角型弾性多孔体、前記角型弾性多孔体を下方から支持しかつ加圧空気用のオリフィスを有する支持体、及び、弾性多孔体を支持体に一体に固定する固定部材からなる散気装置であり、
前記支持体が、前記角型弾性多孔体を下方から支持する支持部と、支持部に接続された加圧空気送付用のパイプへの取り付け部からなり、
前記角型弾性多孔体が、開口部を有する箱型形状を有し、前記支持部が前記弾性多孔体内に配置されており、
前記固定部材が、前記角型弾性多孔体の両面側の少なくとも四隅とその近傍の辺を厚さ方向に固定するものであり、前記四隅部分の幅が前記辺の幅よりも大きくなるように設定されており、かつ前記両面側の四隅を固定する部分に対角線方向に突き出された突出部が設けられている、散気装置。
４．請求項１〜３のいずれか１項に記載の散気装置が、加圧空気送付用のパイプに２つ以上取り付けられ、かつ各散気装置が互いに隙間なく接して並べられている散気システム。
【発明の効果】
【０００９】
本発明の散気装置は、長期間運転を継続したときの耐久性が高められている。
【発明を実施するための最良の形態】
【００１０】
本発明の散気装置の基本的構造は、特許文献３（特開２００７−３８１９８号公報）に記載の発明と同じであり、角形弾性多孔体を固定するための固定部材の形状及び構造のみが異なるものである。よって、まずは図１、図２により、本発明の基礎となる特開２００７−３８１９８号公報に記載の発明を説明する。図１は、従来技術の散気装置の一実施形態の平面図であり、図２は、図１のII−II線に沿う断面図である。図１は、特開２００７−３８１９８号公報の図７（ｃ）に相当するものであり、図２は、同公報の図６に相当するものである。
【００１１】
散気装置４０は、弾性多孔体２、支持体３、固定部材２１、２２、２３、２４とが組み合わされ、一体になっている。
【００１２】
弾性多孔体２は、支持体３の外形と合致した箱状のものであり、端部近傍には環状突起１７を有している。そして、環状突起１７と固定部材２１〜２４との対向面の間には、プラスチック製の環状板１６が配置されている。固定部材２１〜２４により、上下方向（厚さ方向）から押圧したとき、環状突起１７は押し潰されて環状板１６に密着され、更に環状板１６と第２固定部材１１の内側下面が密着され、気密状態となる。
【００１３】
第１支持体５０は、弾性多孔体に対応した平面形状の平面部５１、壁部５２、溝部５３、オリフィス５７、脚部５８を有している。下方の外周面にはネジ部５９（雄ネジ又は雌ネジ）を有している。
【００１４】
第２支持体６０は、上部半円筒部６１ａ、下部半円筒部６１ｂ、半円筒のフランジ６２ａ、６２ｂ、筒部６３を有している。筒部６３の内周面には、ネジ部６５が設けられており、ネジ部６５はネジ部５９に対応するネジ山を有している。
【００１５】
本実施形態の支持体は、第１支持体５０と第２支持体６０をネジ合わせて一体化することにより、１つの支持体にするものである。具体的には、第２支持体６０のネジ部６５内に第１支持体５０のネジ部５９をねじ込んで行く。
【００１６】
次に、図３に示す本発明の散気装置の一実施形態を説明する。図３は、図１に相当する平面図であり、断面図の構造は、固定部材２１〜２４を除いて、図２と同じである。
【００１７】
固定部材２１、２２、２３、２４は、角型弾性多孔体２の一面側の四隅２１ａ、２２ａ、２３ａ、２４ａと他面側（厚さ方向の反対面側）の四隅（図示せず）を含む周囲を固定している。このとき、少なくとも四隅とその近傍が固定されていればよい。
【００１８】
四隅２１ａ、２２ａ、２３ａ、２４ａの幅ｗ２は、四隅を除いた辺部分の幅ｗ１よりも大きくなるように設定されている。このｗ１とｗ２の関係は、ｗ２／ｗ１＝１．１〜２．０程度に設定することができる。
【００１９】
散気装置４０の作動時、角型弾性多孔体２の中心部方向に力が加えられるため、角型弾性多孔体２全体が中心部方向に引っ張られるようになる。このため、長期間の運転を継続していると、角型弾性多孔体２の周辺部、特に四隅が引っ張られ、散気装置４０全体が僅かではあるが椀状に変形する。このような変形が継続されると、角型弾性多孔体２の四隅と固定部材２１〜２４の四隅との間に隙間が生じて、そこから、気泡が漏れ出るおそれもある。しかし、図３のような形態にすることで、このような問題が発生するおそれが解消され、装置自体の耐久性を高めることができる。
【００２０】
次に、図４、図５に示す本発明の散気装置の一実施形態を説明する。図４は、図１に相当する平面図であり、図５は、図２に相当する断面図（一部断面図）であり、断面図の構造は、固定部材２１〜２４を除いて、図２と同じである。
【００２１】
固定部材２１、２２、２３、２４は、角型弾性多孔体２の一面側の四隅と他面側（厚さ方向の反対面側）の四隅（一部は図示せず）を含む周囲を固定している。このとき、少なくとも四隅とその近傍が固定されていればよい。
【００２２】
固定部材２１、２２、２３、２４は、角型弾性多孔体２の一面側の四隅には、対角線方向に突き出された突出部２１ａ、２２ａ、２３ａ、２４ａが設けられており、他面側の四隅には、対角線方向に突き出された突出部２１ｂ（２１ａと厚さ方向に対向する位置の突出部であり、図示していない）、２２ｂ（２２ａと厚さ方向に対向する位置の突出部であり、図示していない）、２３ｂ、２４ｂが設けられている。固定部材２１、２２、２３、２４における突出部の幅と他の辺の幅との関係は、図３に示すｗ１とｗ２と同じ関係にすることができる。
【００２３】
散気装置４０の作動時、角型弾性多孔体２の中心部方向に力が加えられるため、角型弾性多孔体２全体が中心部方向に引っ張られるようになる。このため、長期間の運転を継続していると、角型弾性多孔体２の周辺部、特に四隅が引っ張られ、散気装置４０全体が僅かではあるが椀状に変形する。このような変形が継続されると、角型弾性多孔体２の四隅と固定部材２１〜２４の四隅との間に隙間が生じて、そこから、気泡が漏れ出るおそれもある。しかし、図４、図５のような四隅に突出部を有する形態にすることで、このような問題が発生するおそれが解消され、装置自体の耐久性を高めることができる。
【００２４】
本発明の散気装置は、図３に示すように固定部材２１〜２４の四隅の幅を大きくし、かつ図４、図５に示すように固定部材２１〜２４の四隅に突出部を設けた形態にすることもできる。
【００２５】
本発明の散気システムは、本発明の散気装置を用い、特開２００７−３８１９８号公報の図５に示すような形態にすることができる。
【図面の簡単な説明】
【００２６】
【図１】従来技術の散気装置の平面図。
【図２】図１のII−II線に沿う断面図。
【図３】本発明の散気装置の平面図。
【図４】本発明の別実施形態の散気装置の平面図。
【図５】図４の部分断面図。
【符号の説明】
【００２７】
２  角型弾性多孔体
２１、２２、２３、２４  固定部材
【図１】
2009262032.tif 000003
【図２】
2009262032.tif 000004
【図３】
2009262032.tif 000005
【図４】
2009262032.tif 000006
【図５】
2009262032.tif 000007